(57)【要約】      （修正有）【課題】簡易な構成でユーザが低年齢者であるか否かを判断することが可能な情報端末を提供する。【解決手段】情報端末１００は、画像を表示する表示部２と、ユーザの操作を受付けるタッチパネル３と、表示部２に表示させたガイドに基づいたユーザによる５点の移動を伴うタッチパネル３への操作に基づいて、ユーザが低年齢者であるか否かを判別して、ユーザが低年齢者である場合には、所定の機能を制限するＣＰＵ１とを備える。【選択図】図２
2014021587.tif 000002
【特許請求の範囲】
【請求項１】
画像を表示する表示部と、
ユーザの操作を受付けるタッチパネルと、
前記表示部に表示させたガイドに基づいたユーザによる２点以上の移動を伴う前記タッチパネルへの操作に基づいて、ユーザが低年齢者であるか否かを判別して、ユーザが低年齢者である場合には、所定の機能を制限する制御部とを備える、情報端末。
【請求項２】
前記制御部は、前記表示部に表示させたガイドに基づいたユーザによる２点以上の移動を伴う前記タッチパネルへの操作に基づいて、ユーザの手の大きさを判断して、ユーザが低年齢者であるか否かを判別するように構成されている、請求項１に記載の情報端末。
【請求項３】
前記制御部は、２つ以上の前記ガイドを前記表示部に表示させてユーザの片手の２本以上の指をタッチパネルに誘導するとともに、誘導した２つ以上の前記ガイドのうち少なくとも１つの前記ガイドを移動させて、ユーザの片手の２本以上の指による２点以上の移動を伴う前記タッチパネルへの操作を行わせるように構成されている、請求項１または２に記載の情報端末。
【請求項４】
前記制御部は、前記表示部に表示させた５つの前記ガイドに基づいたユーザの片手の５本の指による５点の移動を伴う前記タッチパネルへの操作に基づいて、ユーザの片手の少なくとも２本の指の間隔を認識してユーザが低年齢者であるか否かを判別するように構成されている、請求項１〜３のいずれか１項に記載の情報端末。
【請求項５】
前記制御部は、前記表示部に表示させた５つの前記ガイドに基づいたユーザの片手の５本の指による５点の移動を伴う前記タッチパネルへの操作に基づいて、ユーザの片手の親指と小指との間隔を認識してユーザが低年齢者であるか否かを判別するように構成されている、請求項４に記載の情報端末。
【請求項６】
加速度を検出する加速度センサをさらに備え、
前記制御部は、前記加速度センサによる検出結果に基づいて、ユーザが一方の手で前記情報端末を保持しながら他方の手の２本以上の指で前記ガイドに沿った移動を伴う前記タッチパネルへの操作をしているか否かを判断するように構成されている、請求項１〜５のいずれか１項に記載の情報端末。
【請求項７】
前記制御部は、前記表示部に表示させたガイドに基づいたユーザによる２点以上の移動を伴う前記タッチパネルへの操作の正確性に基づいて、ユーザが低年齢者であるか否かを判別するように構成されている、請求項１〜６のいずれか１項に記載の情報端末。
【請求項８】
前記制御部は、ユーザによる２点以上の移動を伴う前記タッチパネルへの操作による２以上の軌跡を互いに比較して、ユーザが低年齢者であるか否かを判別するように構成されている、請求項１〜７のいずれか１項に記載の情報端末。
【請求項９】
前記制御部は、前記ガイドを曲線的に移動させて、ユーザの片手の２本以上の指による２点以上の移動を伴う前記タッチパネルへの操作を行わせるように構成されている、請求項１〜８のいずれか１項に記載の情報端末。
【請求項１０】
前記制御部は、前記情報端末の起動時、スタンバイモードからの復帰時、スリープモードからの復帰時、省電力モードからの復帰時、アプリケーションの起動時、または、ネットワーク接続時のうち少なくとも１つのタイミングにおいて、前記表示部に表示させたガイドに基づいたユーザによる２点以上の移動を伴う前記タッチパネルへの操作に基づいて、ユーザが低年齢者であるか否かを判別して、ユーザが低年齢者である場合には、所定の機能を制限するように構成されている、請求項１〜９のいずれか１項に記載の情報端末。
【発明の詳細な説明】
【技術分野】
【０００１】
この発明は、情報端末に関し、特に、表示部を備えた情報端末に関する。
【背景技術】
【０００２】
従来、表示部を備えた情報端末が知られている（たとえば、特許文献１参照）。
【０００３】
上記特許文献１には、画像を表示する表示手段（表示部）と、利用者（ユーザ）の操作を受付ける標準入力手段と、利用者の指紋を読み取る指紋入力手段と、指紋入力手段により読み取った利用者の指紋の大きさを判定する主制御部（制御部）とを備える情報処理装置（情報端末）が開示されている。この情報処理装置では、主制御部は、指紋入力手段により読み取った利用者の指紋の大きさが一定の大きさに満たない場合には、利用者が子供（低年齢者）であると判断して、稼働させるアプリケーション機能を制限するように構成されている。
【先行技術文献】
【特許文献】
【０００４】
【特許文献１】特開２００２−２６９０４６号公報
【発明の概要】
【発明が解決しようとする課題】
【０００５】
しかしながら、上記特許文献１の情報処理装置（情報端末）では、利用者（ユーザ）が子供（低年齢者）であるか否かを判断するために用いられる指紋読み取り専用の指紋入力手段（指紋入力装置）を設ける必要がある。このため、情報処理装置の構成が複雑になるという問題点がある。
【０００６】
この発明は、上記のような課題を解決するためになされたものであり、この発明の１つの目的は、簡易な構成でユーザが低年齢者であるか否かを判断することが可能な情報端末を提供することである。
【課題を解決するための手段】
【０００７】
この発明の一の局面による情報端末は、画像を表示する表示部と、ユーザの操作を受付けるタッチパネルと、表示部に表示させたガイドに基づいたユーザによる２点以上の移動を伴うタッチパネルへの操作に基づいて、ユーザが低年齢者であるか否かを判別して、ユーザが低年齢者である場合には、所定の機能を制限する制御部とを備える。
【０００８】
この発明の一の局面による情報端末では、上記のように、ユーザの操作を受付けるタッチパネルと、表示部に表示させたガイドに基づいたユーザによる２点以上の移動を伴うタッチパネルへの操作に基づいて、ユーザが低年齢者であるか否かを判別して、ユーザが低年齢者である場合には、所定の機能を制限する制御部とを設けることによって、ユーザの操作を受付けるタッチパネルをユーザが低年齢者であるか否かを判別する目的にも流用することができるので、ユーザが低年齢者であるか否かを判別するための専用の装置を別個に設ける必要がない。これにより、簡易な構成でユーザが低年齢者であるか否かを判断することができる。
【０００９】
上記一の局面による情報端末において、好ましくは、制御部は、表示部に表示させたガイドに基づいたユーザによる２点以上の移動を伴うタッチパネルへの操作に基づいて、ユーザの手の大きさを判断して、ユーザが低年齢者であるか否かを判別するように構成されている。このように構成すれば、ユーザの手の大きさを判断して容易にユーザが低年齢者であるか否かを判別することができる。
【００１０】
上記一の局面による情報端末において、好ましくは、制御部は、２つ以上のガイドを表示部に表示させてユーザの片手の２本以上の指をタッチパネルに誘導するとともに、誘導した２つ以上のガイドのうち少なくとも１つのガイドを移動させて、ユーザの片手の２本以上の指による２点以上の移動を伴うタッチパネルへの操作を行わせるように構成されている。このように構成すれば、ユーザの指の移動の軌跡に基づいて、片手の指を使って操作した場合と、両手の指を使って操作した場合とを容易に識別することができるので、ユーザの片手の大きさを容易に判断することができる。これにより、簡易な構成でより容易にユーザが低年齢者であるか否かを判別することができる。
【００１１】
上記一の局面による情報端末において、好ましくは、制御部は、表示部に表示させた５つのガイドに基づいたユーザの片手の５本の指による５点の移動を伴うタッチパネルへの操作に基づいて、ユーザの片手の少なくとも２本の指の間隔を認識してユーザが低年齢者であるか否かを判別するように構成されている。このように構成すれば、ユーザの片手の少なくとも２本の指の間隔に基づいて、ユーザの手の大きさを容易に判断して、ユーザが低年齢者であるか否かを容易に判別することができる。また、ユーザに片手の５本の指を用いて操作させることにより、ユーザの片手の大きさをさらに精度よく判断することができる。
【００１２】
この場合、好ましくは、制御部は、表示部に表示させた５つのガイドに基づいたユーザの片手の５本の指による５点の移動を伴うタッチパネルへの操作に基づいて、ユーザの片手の親指と小指との間隔を認識してユーザが低年齢者であるか否かを判別するように構成されている。このように構成すれば、ユーザの片手の親指と小指との間隔に基づいて、ユーザの手の大きさを容易に判断して、ユーザが低年齢者であるか否かを容易に判別することができる。
【００１３】
上記一の局面による情報端末において、好ましくは、加速度を検出する加速度センサをさらに備え、制御部は、加速度センサによる検出結果に基づいて、ユーザが一方の手で情報端末を保持しながら他方の手の２本以上の指でガイドに沿った移動を伴うタッチパネルへの操作をしているか否かを判断するように構成されている。このように構成すれば、加速度センサにより情報端末の揺れの大きさを検出することができるので、ユーザの一方の手で情報端末が保持されて、他方の手でタッチパネルが操作されているか、固定して両方の手でタッチパネルが操作されているかを、検出した情報端末の揺れの大きさから判断することができる。これにより、ユーザが片手の指を使って操作しているか否かを容易に判断することができるので、ユーザの片手の大きさを容易に判断してユーザが低年齢者であるか否かを判別することができる。
【００１４】
上記一の局面による情報端末において、好ましくは、制御部は、表示部に表示させたガイドに基づいたユーザによる２点以上の移動を伴うタッチパネルへの操作の正確性に基づいて、ユーザが低年齢者であるか否かを判別するように構成されている。このように構成すれば、タッチパネルへの操作の正確性に基づいて、ユーザが低年齢者であるか否かを容易に判断することができる。
【００１５】
上記一の局面による情報端末において、好ましくは、制御部は、ユーザによる２点以上の移動を伴うタッチパネルへの操作による２以上の軌跡を互いに比較して、ユーザが低年齢者であるか否かを判別するように構成されている。このように構成すれば、ユーザによる２点以上の操作が相対位置を変化させることなく移動したか否かを容易に判断することができるので、ユーザの手の大きさを容易に判断してユーザが低年齢者であるか否かを容易に判別することができる。
【００１６】
上記一の局面による情報端末において、好ましくは、制御部は、ガイドを曲線的に移動させて、ユーザの片手の２本以上の指による２点以上の移動を伴うタッチパネルへの操作を行わせるように構成されている。このように構成すれば、ユーザが片手の指の相対位置を変化させることなく操作しているか否かを容易に判断することができる。これにより、ユーザの片手の大きさを容易に判断してユーザが低年齢者であるか否かを容易に判別することができる。
【００１７】
上記一の局面による情報端末において、好ましくは、制御部は、情報端末の起動時、スタンバイモードからの復帰時、スリープモードからの復帰時、省電力モードからの復帰時、アプリケーションの起動時、または、ネットワーク接続時のうち少なくとも１つのタイミングにおいて、表示部に表示させたガイドに基づいたユーザによる２点以上の移動を伴うタッチパネルへの操作に基づいて、ユーザが低年齢者であるか否かを判別して、ユーザが低年齢者である場合には、所定の機能を制限するように構成されている。このように構成すれば、情報端末の起動時、スタンバイモードからの復帰時、スリープモードからの復帰時、省電力モードからの復帰時、アプリケーションの起動時、または、ネットワーク接続時にユーザが低年齢者であるか否かに応じて適切に所定の機能を制限することができる。
【発明の効果】
【００１８】
本発明によれば、上記のように、簡易な構成でユーザが低年齢者であるか否かを判断することができる。
【図面の簡単な説明】
【００１９】
【図１】本発明の一実施形態による情報端末を示した斜視図である。
【図２】本発明の一実施形態による情報端末を示したブロック図である。
【図３】本発明の一実施形態による情報端末に表示されるガイドを示した図である。
【図４】本発明の一実施形態による情報端末に表示されるガイドの移動を説明するための図である。
【図５】本発明の一実施形態による情報端末のユーザの操作の第１の例を説明するための図である。
【図６】本発明の一実施形態による情報端末のユーザの操作の第１の例の軌跡を示した図である。
【図７】本発明の一実施形態による情報端末のユーザの操作の第２の例を説明するための図である。
【図８】本発明の一実施形態による情報端末のユーザの操作の第２の例の軌跡を示した図である。
【図９】本発明の一実施形態による情報端末のＣＰＵによる低年齢者確認処理を説明するためのフローチャートである。
【発明を実施するための形態】
【００２０】
以下、本発明の実施形態を図面に基づいて説明する。
【００２１】
まず、図１および図２を参照して、本発明の一実施形態による情報端末１００の構成について説明する。
【００２２】
情報端末１００は、各種アプリケーションを動作させての利用、または、インターネットに接続して情報を視聴するなどのために用いられるように構成されている。また、情報端末１００は、携帯して持ち運ぶことが可能に構成されている。また、情報端末１００は、ユーザが把持した状態および机などに載置した状態で使用することが可能に構成されている。
【００２３】
情報端末１００は、図２に示すように、ＣＰＵ（中央演算処理装置）１と、表示部２と、タッチパネル３と、加速度センサ４と、メモリ５とを備えている。なお、ＣＰＵ１は、本発明の「制御部」の一例である。
【００２４】
ＣＰＵ１は、情報端末１００の各部を制御するように構成されている。また、ＣＰＵ１は、表示部２に画像を表示させるように構成されている。また、ＣＰＵ１は、タッチパネル３によりユーザからの操作を受付けるように構成されている。また、ＣＰＵ１は、加速度センサ４により、情報端末１００の姿勢および移動の有無を検出するように構成されている。また、ＣＰＵ１はメモリ５にアプリケーションを展開して動作させるように構成されている。
【００２５】
ここで、本実施形態では、ＣＰＵ１は、表示部２に表示させたガイド２０ａ〜２０ｅ（図３参照）に基づいたユーザによる５点の移動を伴うタッチパネル３への操作に基づいて、ユーザの手の大きさを判断して、ユーザが低年齢者であるか否かを判別するように構成されている。具体的には、ＣＰＵ１は、５つのガイド２０ａ〜２０ｅ（図３参照）を表示部２に表示させてユーザの片手の５本の指をタッチパネル３に誘導するように構成されている。つまり、ＣＰＵ１は、ガイド２０ａ、２０ｂ、２０ｃ、２０ｄおよび２０ｅに、それぞれ、ユーザの右手の親指、人差指、中指、薬指および小指が置かれるように、表示部２にガイド２０ａ〜２０ｅを表示するように構成されている。
【００２６】
また、ＣＰＵ１は、図３に示すように、遠い所の間隔が低年齢者の片手では届かない間隔に配置されるように５つのガイド２０ａ〜２０ｅを表示部２に表示するように構成されている。詳しくは、ＣＰＵ１は、５つのガイド２０ａ〜２０ｅのうち、親指および小指に対応する両端のガイド２０ａおよびガイド２０ｅの間隔がＬ１（たとえば、１４ｃｍ）になるように５つのガイド２０ａ〜２０ｅを配置して、表示部２に表示するように構成されている。なお、ここでは、低年齢者とは、幼児および小学校低学年（おおよそ９歳以下）の者を言う。
【００２７】
また、ＣＰＵ１は、図４に示すように、１つのガイド２０ａを移動させて、ユーザの片手の５本の指による５点の移動を伴うタッチパネル３への操作を行わせるように構成されている。具体的には、ＣＰＵ１は、５つのガイド２０ａ〜２０ｅを表示部２に表示させて、ユーザの片手の５本の指を誘導した後、ガイド２０ｂ〜２０ｅの表示を消す。そして、ＣＰＵ１は、ガイド２０ａを曲線的（波線状）に移動させて、ユーザの片手の５本の指による５点の移動を伴うタッチパネル３への操作を行わせるように構成されている。つまり、この場合、ユーザは、ガイド２０ａ〜２０ｅに合せてタッチパネル３に片手の５本の指を置いたあと、ガイド２０ａに合せて、５本の指を相対的な位置を変えずに曲線的（波線状）に移動させる操作を行うことになる。
【００２８】
また、ＣＰＵ１は、表示部２に表示させた５つのガイド２０ａ〜２０ｅに基づいたユーザの片手の５本の指による５点の移動を伴うタッチパネル３への操作に基づいて、ユーザの片手の少なくとも２本の指の間隔を認識してユーザが低年齢者であるか否かを判別するように構成されている。具体的には、ＣＰＵ１は、ユーザの片手の親指と小指との間隔を認識してユーザが低年齢者であるか否かを判別するように構成されている。具体的には、ＣＰＵ１は、ユーザの片手の親指と小指との間隔を認識して、ユーザの片手の大きさを判断して、ユーザが低年齢者であるか否かを判別するように構成されている。
【００２９】
また、ＣＰＵ１は、表示部２に表示させたガイド２０ａ〜２０ｅに基づいたユーザによる５点の移動を伴うタッチパネル３への操作の正確性に基づいて、ユーザが低年齢者であるか否かを判別するように構成されている。また、ＣＰＵ１は、ユーザの片手の５本の指の相対位置が変化しないような片手の５本の指による５点の移動を伴うタッチパネル３への操作に基づいて、ユーザが低年齢者であるか否かを判別するように構成されている。具体的には、ＣＰＵ１は、ユーザによる５点の移動を伴うタッチパネル３への操作による５つの軌跡２１ａ〜２１ｅ（図５参照）（軌跡２２ａ〜２２ｅ（図７参照））をメモリ５に保存する。そして、ＣＰＵ１は、メモリ５に保存された５つの軌跡２１ａ〜２１ｅ（図５参照）（軌跡２２ａ〜２２ｅ（図７参照））を互いに比較して、ユーザが低年齢者であるか否かを判別するように構成されている。これにより、ユーザがパスワードを入力するなど複雑な操作を行うことなく、指をタッチパネル３上で曲線的に移動させるという簡単な操作を行うことにより、ユーザが低年齢者であるか否かを判別することが可能である。
【００３０】
詳しくは、ＣＰＵ１は、図６に示す例では、５つの軌跡２１ａ〜２１ｅ（図５参照）の始点を揃えて、軌跡２１ａ〜２１ｅのそれぞれの曲線を互いに比較して、線が一致するか否かを判断する。なお、一致とは完全に一致していなくてもよく、所定の閾値の範囲であれば一致しているものとみなすものとする。また、図６に示す例では、ＣＰＵ１は、５つの軌跡２１ａ〜２１ｅが一致していると判断して、ユーザによる５点の移動を伴うタッチパネル３への操作が片手で行われていたと判断する。この場合、ＣＰＵ１は、ユーザが低年齢者ではないと判断する。つまり、ＣＰＵ１は、片手の大きさが所定の大きさより大きいと判断した場合、ユーザが低年齢者ではないと判断するように構成されている。
【００３１】
また、ＣＰＵ１は、図８に示す例では、５つの軌跡２２ａ〜２２ｅ（図７参照）の始点を揃えて、軌跡２２ａ〜２２ｅのそれぞれの曲線を互いに比較して、線が一致するか否かを判断する。図８に示す例では、ＣＰＵ１は、５つの軌跡２２ａ〜２２ｅが一致していないと判断して、ユーザによる５点の移動を伴うタッチパネル３への操作が片手で行われていない、または、所定の大きさより小さい手で操作が行われたと判断する。この場合、ＣＰＵ１は、ユーザが低年齢者であると判断する。
【００３２】
また、ＣＰＵ１は、表示部２に表示させた５つのガイド２０ａ〜２０ｅ（図３参照）と、５つのガイド２０ａ〜２０ｅをタッチするユーザの５本の指とのずれ量がそれぞれ所定の閾値より小さく、移動するガイド２０ａとガイド２０ａをタッチしながら追従する指との軌跡２１ａ（図５参照）のずれ量が所定の閾値よりも小さく、かつ、５つの指の軌跡２１ａ〜２１ｅ（図６参照）の互いのずれ量が所定の閾値よりも小さい場合に、ユーザが低年齢者ではないと判断するように構成されている。
【００３３】
また、本実施形態では、ＣＰＵ１は、表示部２に表示させたガイド２０ａ（図３参照）に基づいたユーザによる５点の移動を伴うタッチパネル３への操作に基づいて、ユーザが低年齢者であるか否かを判別して、ユーザが低年齢者である場合には、所定の機能を制限するように構成されている。具体的には、ＣＰＵ１は、情報端末１００の起動時、スタンバイモードからの復帰時、スリープモードからの復帰時、省電力モードからの復帰時、アプリケーションの起動時、または、ネットワーク接続時において、表示部２に表示させたガイド２０ａに基づいたユーザによる５点の移動を伴うタッチパネル３への操作に基づいて、ユーザが低年齢者であるか否かを判別して、ユーザが低年齢者である場合には、所定の機能を制限するように構成されている。
【００３４】
なお、情報端末１００の所定の機能が制限された場合、ＣＰＵ１は、情報端末１００を起動することができないようにしたり、スタンバイモードから復帰できないようにしたり、スリープモードから復帰できないようにしたりするように構成されている。また、ＣＰＵ１は、省電力モードから復帰できないようにしたり、アプリケーションを起動することができないようにしたり、ネットワークに接続できないようにしたりするように構成されている。また、ＣＰＵ１は、低年齢者に操作させたくない所定のアプリケーションの機能を制限するように構成されている。たとえば、ＣＰＵ１は、オンラインバンキングのアプリケーション、クレジット機能のアプリケーション、または、課金対象のアプリケーションなどの機能が使えないように制限するように構成されている。また、ＣＰＵ１は、Ｒ指定（年齢制限）がある機能が使えないように制限するように構成されている。また、ＣＰＵ１は、誤って変更や消去されたら困る機能を制限するように構成されている。たとえば、ＣＰＵ１は、スケジュール帳やアドレス帳などの機能が使えないように制限するように構成されている。また、機能の制限の内容は、ユーザが予め設定できるように構成されている。
【００３５】
また、ＣＰＵ１は、加速度センサ４による検出結果に基づいて、ユーザが一方の手で情報端末１００を保持しながら他方の手の５本の指でガイド２０ａに沿った移動を伴うタッチパネル３への操作をしているか否かを判断するように構成されている。具体的には、ＣＰＵ１は、加速度センサ４の検出結果に基づいて、情報端末１００がユーザにより把持（保持）された状態であることを検出するように構成されている。つまり、ＣＰＵ１は、ユーザの一方の手で情報端末１００が保持されて、他方の手でタッチパネル３が操作されていることを検出するように構成されている。言い換えると、ＣＰＵ１は、情報端末１００を載置した状態で、複数の手で５点の移動を伴うタッチパネル３への操作が行われたことを検出するように構成されている。
【００３６】
表示部２は、画像を表示可能に構成されている。また、表示部２は、情報端末１００のタッチパネル３による操作のための画像を表示可能に構成されている。また、表示部２は、図示しない液晶パネルおよびバックライトを含む。また、表示部２には、タッチバネル３が一体的に設けられている。タッチパネル３は、ユーザからの操作を受付けるように構成されている。また、タッチパネル３は、同時に複数の操作を受付けることが可能なマルチタッチ方式に対応している。具体的には、タッチパネル３は、同時に５点以上の操作を受付けることが可能に構成されている。
【００３７】
加速度センサ４は、情報端末１００に作用する加速度を検知するように構成されている。つまり、加速度センサ４は、情報端末１００の揺れの大きさを検出するように構成されている。具体的には、加速度センサ４は、情報端末１００が載置された状態、または、ユーザに把持された状態であることを検出するように構成されている。メモリ５は、揮発性のＲＡＭ（ランダムアクセスメモリ）などにより構成されている。
【００３８】
次に、図９を参照して、情報端末１００のＣＰＵ１が行う低年齢者確認処理について説明する。この処理は、情報端末１００の起動時、スタンバイモードからの復帰時、スリープモードからの復帰時、省電力モードからの復帰時、アプリケーションの起動時、または、ネットワーク接続時のタイミングにおいて実行される。
【００３９】
ステップＳ１において、ＣＰＵ１は、５つのガイド２０ａ〜２０ｅ（図３参照）を表示部２に表示させる。つまり、ＣＰＵ１は、５つのガイド２０ａ〜２０ｅを表示部２に表示させてユーザの片手の５本の指をタッチパネル３に誘導する。ＣＰＵ１は、ステップＳ２において、各ガイド２０ａ〜２０ｅとユーザの５本の指とのずれ量がそれぞれ所定の閾値より小さいか否かを判断する。つまり、ＣＰＵ１は、ユーザの５本の指が、５つのガイド２０ａ〜２０ｅにそれぞれ正確にタッチされているか否かを判断する。ずれ量が所定の閾値よりも小さければ、ステップＳ３に進み、所定の閾値以上であれば、ステップＳ７に進む。
【００４０】
ＣＰＵ１は、ステップＳ３において、４つのガイド２０ｂ〜２０ｅを非表示にして、親指に対応する１つのガイド２０ａを表示部２上で移動させる。また、ＣＰＵ１は、図４に示すように、ガイド２０ａを曲線的に移動させて表示部２に表示する。ＣＰＵ１は、ステップＳ４において、移動するガイド２０ａとガイド２０ａをタッチしながら追従する指との軌跡２１ａ（図５参照）（軌跡２２ａ（図７参照））のずれ量が所定の閾値よりも小さいか否かを判断する。具体的には、ＣＰＵ１は、ガイド２０ａをタッチしながら移動するユーザの指の軌跡２１ａ（２２ａ）と、移動するガイド２０ａの軌跡とが所定の閾値の範囲で一致するか否かを判断する。ずれ量が所定の閾値よりも小さければ、ステップＳ５に進み、所定の閾値以上であれば、ステップＳ７に進む。
【００４１】
ＣＰＵ１は、ステップＳ５において、５つの軌跡２１ａ〜２１ｅ（図６参照）（軌跡２２ａ〜２２ｅ（図８参照））のずれ量が所定の閾値よりも小さいか否かを判断する。つまり、ＣＰＵ１は、５つの軌跡２１ａ〜２１ｅ（２２ａ〜２２ｅ）の全てが互いに所定の閾値の範囲で一致するか否かを判断する。たとえば、図６に示す例では、ＣＰＵ１は、５つの軌跡２１ａ〜２１ｅの曲線のずれ量が所定の閾値よりも小さいと判断する。つまり、ＣＰＵ１は、５つの軌跡２１ａ〜２１ｅの全てが互いに一致していると判断する。一方、図８に示す例では、ＣＰＵ１は、５つの軌跡２１ａ〜２１ｅの曲線のずれ量が所定の閾値以上であると判断する。つまり、ＣＰＵ１は、５つの軌跡２２ａ〜２２ｅが互いに一致していないと判断する。ずれ量が所定の閾値よりも小さければ、ステップＳ６に進み、所定の閾値以上であれば、ステップＳ７に進む。
【００４２】
ＣＰＵ１は、ステップＳ６において、ユーザが低年齢者ではないと判断する。その後、低年齢者確認処理を終了する。
【００４３】
ステップＳ２、ステップＳ４およびステップＳ５のいずれかにおいて、各ずれ量が所定の閾値以上であると判断した場合、ＣＰＵ１は、ステップＳ７において、ユーザが低年齢者であると判断する。ＣＰＵ１は、ステップＳ８において、制限必要フラグを立てる。これにより、情報端末１００を起動できなくしたり、スタンバイモードから復帰できなくしたり、スリープモードから復帰できなくしたり、省電力モードから復帰できなくしたり、アプリケーションを起動することができなくしたり、ネットワークに接続できなくしたりして、情報端末１００の所定の機能を制限することができる。その後、低年齢者確認処理を終了する。
【００４４】
本実施形態では、上記のように、ユーザの操作を受付けるタッチパネル３と、表示部２に表示させたガイド２０ａに基づいたユーザによる５点の移動を伴うタッチパネル３への操作に基づいて、ユーザが低年齢者であるか否かを判別して、ユーザが低年齢者である場合には、所定の機能を制限するＣＰＵ１とを設けることによって、ユーザの操作を受付けるタッチパネル３をユーザが低年齢者であるか否かを判別するための目的にも流用することができるので、ユーザが低年齢者であるか否かを判別するための専用の装置を別個に設ける必要がない。これにより、簡易な構成でユーザが低年齢者であるか否かを判断することができる。
【００４５】
また、本実施形態では、上記のように、ＣＰＵ１を、表示部２に表示させたガイド２０ａに基づいたユーザによる５点の移動を伴うタッチパネル３への操作に基づいて、ユーザの手の大きさを判断して、ユーザが低年齢者であるか否かを判別するように構成することによって、ユーザの手の大きさを判断して容易にユーザが低年齢者であるか否かを判別することができる。
【００４６】
また、本実施形態では、上記のように、ＣＰＵ１を、５つのガイド２０ａ〜２０ｅを表示部２に表示させてユーザの片手の５本の指をタッチパネル３に誘導するとともに、誘導したガイド２０ａ〜２０ｅのうちガイド２０ａを移動させて、ユーザの片手の５本の指による５点の移動を伴うタッチパネル３への操作を行わせるように構成する。これにより、ユーザの指の移動の軌跡２１ａ〜２１ｅ（２２ａ〜２２ｅ）に基づいて、片手の指を使って操作した場合と、両手の指を使って操作した場合とを容易に識別することができるので、ユーザの片手の大きさを容易に判断することができる。その結果、簡易な構成でより容易にユーザが低年齢者であるか否かを判別することができる。
【００４７】
また、本実施形態では、上記のように、ＣＰＵ１を、表示部２に表示させた５つのガイド２０ａ〜２０ｅに基づいたユーザの片手の５本の指による５点の移動を伴うタッチパネル３への操作に基づいて、ユーザの片手の親指と小指との間隔を認識してユーザが低年齢者であるか否かを判別するように構成する。これにより、ユーザの片手の親指と小指との間隔に基づいて、ユーザの手の大きさを容易に判断して、ユーザが低年齢者であるか否かを容易に判断することができる。また、ユーザに片手の５本の指を用いて操作させることにより、ユーザの片手の大きさをさらに精度よく判断することができる。
【００４８】
また、本実施形態では、上記のように、ＣＰＵ１を、加速度センサ４による検出結果に基づいて、ユーザが一方の手で情報端末１００を保持しながら他方の手の５本の指でガイド２０ａに沿った移動を伴うタッチパネル３への操作をしているか否かを判断するように構成する。これにより、加速度センサ４により情報端末１００の揺れの大きさを検出することができるので、ユーザの一方の手で情報端末１００が保持されて、他方の手でタッチパネル３が操作されているか、固定して両方の手でタッチパネル３が操作されているかを、検出した情報端末の揺れの大きさから判断することができる。その結果、ユーザが片手の指を使って操作しているか否かを容易に判断することができるので、ユーザの片手の大きさを容易に判断してユーザが低年齢者であるか否かを判別することができる。
【００４９】
また、本実施形態では、上記のように、ＣＰＵ１を、表示部２に表示させたガイド２０ａに基づいたユーザによる５点の移動を伴うタッチパネル３への操作の正確性に基づいて、ユーザが低年齢者であるか否かを判別するように構成することによって、タッチパネル３への操作の正確性に基づいて、ユーザが低年齢者であるか否かを容易に判断することができる。
【００５０】
また、本実施形態では、上記のように、ＣＰＵ１を、ユーザによる５点の移動を伴うタッチパネル３への操作による５つの軌跡２１ａ〜２１ｅ（２２ａ〜２２ｅ）を互いに比較して、ユーザが低年齢者であるか否かを判別するように構成する。これにより、ユーザによる５点の操作が相対位置を変化させることなく移動したか否かを容易に判断することができるので、ユーザの手の大きさを容易に判断してユーザが低年齢者であるか否かを容易に判別することができる。
【００５１】
また、本実施形態では、上記のように、ＣＰＵ１を、ガイド２０ａを曲線的に移動させて、ユーザの片手の５本の指による５点の移動を伴うタッチパネル３への操作を行わせるように構成する。これにより、ユーザが片手の指の相対位置を変化させることなく操作しているか否かを容易に判断することができる。その結果、ユーザの片手の大きさを容易に判断してユーザが低年齢者であるか否かを容易に判別することができる。
【００５２】
また、本実施形態では、上記のように、ＣＰＵ１を、情報端末１００の起動時、スタンバイモードからの復帰時、スリープモードからの復帰時、省電力モードからの復帰時、アプリケーションの起動時、または、ネットワーク接続時のタイミングにおいて、表示部２に表示させたガイド２０ａに基づいたユーザによる５点の移動を伴うタッチパネル３への操作に基づいて、ユーザが低年齢者であるか否かを判別して、ユーザが低年齢者である場合には、所定の機能を制限するように構成する。これにより、情報端末１００の起動時、スタンバイモードからの復帰時、スリープモードからの復帰時、省電力モードからの復帰時、アプリケーションの起動時、または、ネットワーク接続時にユーザが低年齢者であるか否かに応じて適切に所定の機能を制限することができる。
【００５３】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５４】
たとえば、上記実施形態では、ユーザによる５点の移動を伴うタッチパネルへの操作に基づいて、ユーザが低年齢者であるか否かを判別する構成の例を示したが、本発明はこれに限られない。本発明では、５点以外の２点以上の移動を伴うユーザによるタッチパネルへの操作に基づいて、ユーザが低年齢者であるか否かを判別する構成であってもよい。
【００５５】
また、上記実施形態では、２点以上の波線状の移動を伴うタッチパネルへの操作をユーザに行わせる構成の例を示したが、本発明はこれに限られない。本発明では、２点以上の波線状以外の移動を伴うタッチパネルへの操作をユーザに行わせる構成でもよい。たとえば、親指を回動中心にして同心円を描くように２点以上の移動を伴うタッチパネルへの操作をユーザに行わせてもよい。
【００５６】
また、上記実施形態では、ユーザの片手の指の移動を伴うタッチパネルへの操作に基づいて、ユーザが低年齢者であるか否かを判別する構成の例を示したが、本発明はこれに限られない。本発明では、ユーザの両手の指の移動を伴うユーザによるタッチパネルへの操作に基づいて、ユーザが低年齢者であるか否かを判別する構成であってもよい。
【００５７】
また、上記実施形態では、ユーザの片手の親指と小指との間隔を認識してユーザが低年齢者であるか否かを判別する構成の例を示したが、本発明はこれに限られない。本発明では、ユーザの片手の少なくとも２本の指の間隔を認識すれば、ユーザの片手の親指および小指以外の指の間隔を認識する構成であってもよい。たとえば、ユーザの片手の親指と人差指との間隔を認識する構成であってもよい。
【００５８】
また、上記実施形態では、情報端末の起動時、スタンバイモードからの復帰時、スリープモードからの復帰時、省電力モードからの復帰時、アプリケーションの起動時、または、ネットワーク接続時のタイミングにおいて、ＣＰＵ（制御部）がユーザが低年齢者であるか否かを判別する構成の例を示したが、本発明はこれに限られない。本発明では、情報端末の起動時、スタンバイモードからの復帰時、スリープモードからの復帰時、省電力モードからの復帰時、アプリケーションの起動時、または、ネットワーク接続時のうち少なくとも１つのタイミングにおいて、制御部がユーザが低年齢者であるか否かを判別する構成であれば、上記全てのタイミングでなくてもよい。また、これら以外の他のタイミングにおいて、制御部がユーザが低年齢者であるか否かを判別する構成であってもよい。
【００５９】
また、上記実施形態では、説明の便宜上、ＣＰＵ（制御部）の処理動作を処理フローに沿って順番に処理を行うフロー駆動型のフローチャートを用いて説明したが、本発明はこれに限られない。本発明では、制御部の処理動作を、イベント単位で処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【００６０】
１  ＣＰＵ（制御部）
２  表示部
３  タッチパネル
４  加速度センサ
２０ａ、２０ｂ、２０ｃ、２０ｄ、２０ｅ  ガイド
１００  情報端末
【図１】
2014021587.tif 000003
【図２】
2014021587.tif 000004
【図３】
2014021587.tif 000005
【図４】
2014021587.tif 000006
【図５】
2014021587.tif 000007
【図６】
2014021587.tif 000008
【図７】
2014021587.tif 000009
【図８】
2014021587.tif 000010
【図９】
2014021587.tif 000011